(57)【特許請求の範囲】
【請求項１】
トルマリン粉末が担持された複数枚の基材を近接させて配設すると共にこの基材に対して送風を行うファンを配設して成り、前記複数枚の基材が、前記ファンから発生する気流にて振動して隣り合って配置されている基材同士が衝突するものであることを特徴とするマイナスイオン発生装置。
【請求項２】
基材とファンとから構成されるマイナスイオン発生器を、造営面に配設される装置本体に設けて成ることを特徴とする請求項１に記載のマイナスイオン発生装置。
【請求項３】
マイナスイオン発生器を天井面に配設される装置本体に設けて成ることを特徴とする請求項２に記載のマイナスイオン発生装置。
【請求項４】
他の機器に設けられた栓刃が挿入されると共に挿入された栓刃を引っ掛け係止する栓刃挿入孔を装置本体に形成し、栓刃挿入孔に挿入された栓刃を介して他の機器に対して給電を行うように形成して成ることを特徴とする請求項３に記載のマイナスイオン発生装置。
【請求項５】
他の機器に設けられた栓刃が挿入される栓刃挿入孔を装置本体に形成し、栓刃挿入孔に挿入された栓刃を介して他の機器に対して給電を行うように形成して成ることを特徴とする請求項３に記載のマイナスイオン発生装置。
【請求項６】
マイナスイオン発生器を壁面に配設される装置本体に設けて成ることを特徴とする請求項２に記載のマイナスイオン発生装置。
【請求項７】
装置本体に、壁面に設けられた電源コンセントの栓刃挿入孔に挿入されると共にこの栓刃挿入孔に挿入された状態で装置本体を壁面に対して支持する栓刃を設け、この栓刃を介して駆動用の電力の供給を受けるように形成して成ることを特徴とする請求項６に記載のマイナスイオン発生装置。
【請求項８】
他の機器に設けられた栓刃が挿入される栓刃挿入孔を装置本体に形成し、栓刃挿入孔に挿入された栓刃を介して他の機器に対して給電を行うように形成して成ることを特徴とする請求項６又は７に記載のマイナスイオン発生装置。
【請求項９】
装置本体に照明装置を設けて成ることを特徴とする請求項６乃至８のいずれかに記載のマイナスイオン発生装置。
【発明の詳細な説明】
【０００１】
【発明の属する技術分野】
本発明は、マイナスイオン発生装置に関するものである。
【０００２】
【従来の技術】
近年、室内環境等の快適性を向上させる一つの要素として、空気中のマイナスイオンが注目を集めている。例えばマイナスイオンの増加は情緒や自律神経の安定、披露の回復、細胞の活性化等を促すとされている。
【０００３】
このため、従来から、家庭用の空気清浄器等として、コロナ放電によるプラズマ発生現象を利用して陰イオンを発生させる機能を備えたものが提供されている。
【０００４】
【発明が解決しようとする課題】
しかし、上記のようにプラズマの生成によって陰イオンを発生させる方式では、体に有害とされるオゾンやＮＯXガスも同時に生成してしまうという問題があった。また、空気清浄器等として提供されるマイナスイオン発生装置は装置が大型化し、設置場所の確保が困難となる場合があった。
【０００５】
本発明は上記の点に鑑みてなされたものであり、有害物質を発生させることなくマイナスイオンを発生させることができ、しかも設置場所を容易に確保するこことができるマイナスイオン発生装置を提供することを目的とするものである。
【０００６】
【課題を解決するための手段】
本発明の請求項１に係るマイナスイオン発生装置は、トルマリン粉末が担持された複数枚の基材１を近接させて配設すると共にこの基材１に対して送風を行うファン２を配設して成り、前記複数枚の基材１が、前記ファン２から発生する気流にて振動して隣り合って配置されている基材１同士が衝突するものであることを特徴とするものである。
【０００７】
また請求項２の発明は、請求項１の構成に加えて、基材１とファン２とから構成されるマイナスイオン発生器５を、造営面に配設される装置本体４に設けて成ることを特徴とするものである。
【０００８】
また請求項３の発明は、請求項２の構成に加えて、マイナスイオン発生器５を、天井面９に配設される装置本体４に設けて成ることを特徴とするものである。
【０００９】
また請求項４の発明は、請求項３の構成に加えて、他の機器に設けられた栓刃が挿入されると共に挿入された栓刃を引っ掛け係止する栓刃挿入孔１０を装置本体４に形成し、栓刃挿入孔１０に挿入された栓刃を介して他の機器に対して給電を行うように形成して成ることを特徴とするものである。
【００１０】
また請求項５の発明は、請求項３の構成に加えて、他の機器に設けられた栓刃が挿入される栓刃挿入孔１０を装置本体に形成し、栓刃挿入孔１０に挿入された栓刃を介して他の機器に対して給電を行うように形成して成ることを特徴とするものである。
【００１１】
また請求項６の発明は、請求項２の構成に加えて、マイナスイオン発生器５を、壁面１３に配設される装置本体４に設けて成ることを特徴とするものである。
【００１２】
また請求項７の発明は、請求項６の構成に加えて、装置本体４に、壁面１３に設けられた電源コンセント１８の栓刃挿入孔１６に挿入されると共にこの栓刃挿入孔１６に挿入された状態で装置本体４を壁面に対して支持する栓刃１５を設け、この栓刃１５を介して駆動用の電力の供給を受けるように形成して成ることを特徴とするものである。
【００１３】
また請求項８の発明は、請求項６又は７の構成に加えて、他の機器に設けられた栓刃が挿入される栓刃挿入孔１０を装置本体４に形成し、栓刃挿入孔１０に挿入された栓刃を介して他の機器に対して給電を行うように形成して成ることを特徴とするものである。
【００１４】
また請求項９の発明は、請求項６乃至８のいずれかの構成に加えて、装置本体４に照明装置１７を設けて成ることを特徴とするものである。
【００１５】
【発明の実施の形態】
以下、本発明の実施の形態を説明する。
【００１６】
本発明ではトルマリンによるマイナスイオン発生機能を利用してマイナスイオンを構成する。トルマリンは一般的にＮａ（Ｍｇ，Ｆｅ，Ｍｎ，Ｌｉ，Ａｌ）3Ａｌ6Ｓｉ6Ｏ18（ＢＯ3）3（ＯＨ，Ｆ）4で表される組成を有する鉱物であり、通称電気石と呼ばれ、それ自身に極性を有するものである。このトルマリンに圧力や張力等を加えると一端が正に、他端が負に分極し、それに伴って周囲の空気をマイナスイオン化する性質を有する。
【００１７】
図８に、本発明に係るマイナスイオン発生装置における、マイナスイオン発生機構の概略を示す。図示のように、マイナスイオン発生装置は複数枚の基材１を備えるものである。この基材１は木材、金属、繊維等により多孔質（メッシュ状）の板状又はシート状に形成され、基材１にはトルマリン粉末が担持される。ここで、基材１を化学繊維で形成すると、摩擦により静電気が発生してマイナスイオンを捕捉してしまうおそれがあるので、化学繊維は用いない方が好ましい。この複数枚の基材１は間隔をあけて近接配置されるものであり、図示のように二枚の基材１が配設される場合は基材１を間隔をあけて対向配置し、三枚以上の基材１が配設される場合は複数枚の基材１が間隔をあけて積層するように配置する。
【００１８】
またこの基材１に対して送風を行うファン２が配設される。ファン２は例えば複数枚の基材１のうち最も外側に配置されている基材１の表面に向けて、基材１の積層方向に送風を行うように配設される。
【００１９】
このファン２から基材１に向けて送風を行うと、ファン２から発生する気流３は間隔をあけて積層配置されている多孔質状の基材１を順次通過し、これに伴って基材１が振動し、隣り合って配置されている基材１同士が衝突する。このとき基材１に担持されているトルマリン粉末が加圧され、トルマリンの周囲の空気がマイナスイオン化して、マイナスイオンが気流３中に混入される。このマイナスイオンを含む気流３を室内等に送出し、室内等にマイナスイオンを行き渡らせるものである。
【００２０】
このようなトルマリンによるマイナスイオン発生機能を利用してマイナスイオン発生装置を構成すると、プラズマ方式によるマイナスイオン発生機構の場合とは異なり、体に有害とされるオゾンやＮＯXガスを発生させることなくマイナスイオンを発生させることができる。
【００２１】
上記のように基材とファンとを具備するマイナスイオン発生装置を、室内等の造営面に設置すると、マイナスイオン発生装置の設置場所を容易に確保することができるものである。
【００２２】
図１に示す実施形態では、ファン２及び基材１にて構成されるマイナスイオン発生器５を、天井面９に設置される装置本体４に設けることにより、マイナスイオン発生装置が構成されてる。装置本体４の上部は天井面９に埋設され、その内部に交流電源の供給を受けてファン２を回転駆動させるファン制御装置７が配設されてる。また装置本体４の下部は天井面９から下方に突出するように形成さており、通気用スリット６、基材１及びファン２が配設されている。ここで、ファン制御装置７、ファン２及び基材１にてマイナスイオン発生器５が構成されている。通気用スリット６は装置本体４の下部の両側にそれぞれ設けられ、装置本体４の内部と外部とを連通している。基材１とファン２とは装置本体４の下部の内部において二つの通気用スリット６の間に直列に配設されている。
【００２３】
このマイナスイオン発生装置では、ファン制御装置７にてファン２を駆動させ、ファン２から基材１に向けて送風を行うと、一方の通気用スリット６を介して装置本体４の外部から内部へ向けて気流３が流入し、この気流３は基材１を通過した後、他方の通気用スリット６から装置本体４の外部へ流出する。このとき、既述のようなマイナスイオン発生機構によって装置本体４から外部へ流出する気流３中にマイナスイオンが混入し、このマイナスイオンが混入した気流３が室内等に行き渡ることとなる。
【００２４】
マイナスイオン発生装置を上記のように天井面９に配設すると、マイナスイオンを室内等に効率よく行き渡らせることができるものであり、しかも設置場所を容易に確保することができる。
【００２５】
図２に示す実施形態では、図１に示す場合と同様に天井面９に設置される装置本体４にマイナスイオン発生器５を設け、更に装置本体４の下面には、照明器具等の他の機器に設けられた栓刃が挿入されると共に挿入された栓刃を引っ掛け係止する栓刃挿入孔１０を形成している。この栓刃挿入孔１０は照明器具の配設及び電力供給に用いられる引掛シーリングや引掛ローゼット等に設けられるものと同様に形成される。すなわち装置本体４には下面に開口する一対の栓刃挿入孔１０が略円弧状に形成されているものであり、各栓刃挿入孔１０の一端側は幅広の栓刃挿入部１１として、他端が幅狭の栓刃係止部１２としてそれぞれ形成され、照明器具等の栓刃を栓刃挿入部１１に挿入した後スライドさせて栓刃係止部１２に配置することにより、照明器具等の栓刃が係止されるようになっている。
【００２６】
また、マイナスイオン発生装置と電源とを接続する配線８は装置本体４内部にてマイナスイオン発生器５に接続される配線８１と栓刃挿入孔１０の内側に設けられた刃受けバネ（図示せず）に接続される配線８２とに分岐されているものであり、栓刃挿入孔１０の栓刃係止部１２に配置された栓刃は刃受けバネに挟持されて、この刃受けバネを介して電源から電力が供給されるようになっている。
【００２７】
このマイナスイオン発生装置では、図１の場合と同様にしてマイナスイオンを発生させて、マイナスイオンが混入した気流３が室内等に行き渡らせることができる。
【００２８】
また、このマイナスイオン発生装置は、上記のような栓刃挿入孔１０を形成していることから、照明器具の配設及び電力供給に用いられる引掛シーリングや引掛ローゼットとしての機能を具備することができる。すなわち、上記の栓刃挿入孔１０に照明器具の栓刃を挿入・係止することによって、照明器具を天井面９に対して支持して配設すると共に照明器具に対して電力を供給することができる。この場合、マイナスイオン発生装置を設置するにあたって別途に天井面９に開口を設けたり配線を引いたりする必要がなく、引掛シーリングや引掛ローゼットのための配線や天井面９の開口を利用してマイナスイオン発生装置を設置することができるものである。
【００２９】
更に、マイナスイオン発生器５から送出されるマイナスイオンを含む気流３を栓刃挿入孔１０付近に流通させて栓刃と刃受けバネとの接点を冷却したり、マイナスイオンを含む気流３が流出する通気用スリット６を装置本体４の下面に向けて開口させて形成することによりマイナスイオンを含む気流３を照明器具に向けて流出させて照明器具を冷却したりすることもできる。
【００３０】
図３に示す実施形態では、図１に示す場合と同様に天井面９に設置される装置本体４にマイナスイオン発生器５を設け、更に装置本体４の下面には、照明器具等の他の機器に設けられた栓刃が挿入される栓刃挿入孔１０を形成している。この栓刃挿入孔１０としては、通常の電源コンセント用の平行孔が形成されている。
【００３１】
また、マイナスイオン発生装置と電源とを接続する配線８は装置本体４内部にてマイナスイオン発生器５に接続される配線８１と栓刃挿入孔１０の内側に設けられた刃受けバネ（図示せず）に接続される配線８２とに分岐されているものであり、栓刃挿入孔１０に挿入された栓刃は刃受けバネに挟持されて、この刃受けバネを介して電源から電力が供給されるようになっている。
【００３２】
このマイナスイオン発生装置では、図１の場合と同様にしてマイナスイオンを発生させて、マイナスイオンが混入した気流３が室内等に行き渡らせることができる。
【００３３】
また、このマイナスイオン発生装置は、上記のような栓刃挿入孔１０を形成していることから、天井に配設される照明器具の電力供給用電源コンセント１８の機能を具備することができる。すなわち、通常の平行栓刃を有する電源プラグから電力の供給を受ける照明器具を天井に配設するにあたり、上記の栓刃挿入孔１０に照明器具の栓刃を挿入することによって、照明器具に対して電力を供給することができる。この場合、マイナスイオン発生装置を設置するにあたって別途に天井面９に開口を設けたり配線を引いたりする必要がなく、照明器具への電力供給用電源コンセント１８のための配線や天井面９の開口を利用してマイナスイオン発生装置を設置することができるものである。
【００３４】
更に、マイナスイオン発生器５から送出されるマイナスイオンを含む気流３を栓刃挿入孔１０付近に流通させて栓刃と刃受けバネとの接点を冷却したり、マイナスイオンを含む気流３が流出する通気用スリット６を装置本体４の下面に向けて開口させて形成することによりマイナスイオンを含む気流３を照明器具に向けて流出させて照明器具を冷却したりすることもできる。
【００３５】
図４に示す実施形態では、ファン２及び基材１にて構成されるマイナスイオン発生器５を、壁面１３に設置される装置本体４に設けることにより、マイナスイオン発生装置が構成されてる。装置本体４の後部は壁面１３に埋設されると共に前部は壁面１３から突出するように形成され、装置本体４の内部に図１に示す場合と同様にファン２、基材１及びファン制御装置７にて構成されたマイナスイオン発生器５が設けられている。通気用スリット６は装置本体４の前部における上面と下面とにそれぞれ設けられ、装置本体４の内部と外部とを連通している。
【００３６】
また、装置本体４には他の機器に設けられた電源プラグの栓刃が挿入される栓刃挿入孔１０が形成されている。この栓刃挿入孔１０としては、通常の電源コンセント用の平行孔が形成されており、図示の例では二組の栓刃挿入孔１０が形成されている。
【００３７】
また、マイナスイオン発生装置と電源とを接続する配線８は装置本体４内部にてマイナスイオン発生器５に接続される配線８１と栓刃挿入孔１０の内側に設けられた刃受けバネ（図示せず）に接続される配線８２とに分岐されているものであり、栓刃挿入孔１０に挿入された栓刃は刃受けバネに挟持されて、この刃受けバネを介して電源から電力が供給されるようになっている。
【００３８】
このマイナスイオン発生装置では、ファン制御装置７にてファン２を駆動させ、ファン２から基材１に向けて送風を行うと、一方の通気用スリット６を介して装置本体４の外部から内部へ向けて気流３が流入し、この気流３は基材１を通過した後、他方の通気用スリット６から装置本体４の外部へ流出する。このとき、既述のようなマイナスイオン発生機構によって装置本体４から外部へ流出する気流３中にマイナスイオンが混入し、このマイナスイオンが混入した気流３が室内等に行き渡ることとなる。
【００３９】
また、このマイナスイオン発生装置は、上記のような栓刃挿入孔１０を形成していることから、電源コンセントとしての機能も果たすこととなる。この場合、マイナスイオン発生装置を壁面１３に設置するにあたって別途に壁面１３に開口を設けたり配線を引いたりする必要がなく、電源コンセントのための配線や壁面１３の開口を利用して、マイナスイオン発生装置を設置することができるものであり、既設の電源コンセントを取り外して代わりにこのマイナスイオン発生装置を設置するなどして、マイナスイオン発生装置の設置場所を容易に確保することができるものである。
【００４０】
図５に示す実施形態では、ファン２及び基材１にて構成されるマイナスイオン発生器５を、壁面１３に設置される装置本体４に設けることにより、マイナスイオン発生装置が構成されている。通気用スリット６は装置本体４の上面と下面とにそれぞれ設けられ、装置本体４の内部と外部とを連通している。
【００４１】
また、装置本体４の背面には栓刃１５が設けられており、この栓刃１５は、マイナスイオン発生器５に対して駆動用の電力を供給する配線８に接続されている。ここで、装置本体４の栓刃１５を壁面１３に設けられた電源コンセント１８の栓刃挿入孔１６に挿入することにより、装置本体４が壁面１３に対して支持されるようになっている。
【００４２】
このマイナスイオン発生装置では、マイナスイオン発生装置を壁面１３に設置するにあたって別途に壁面１３に開口を設けたり配線を引いたりする必要がなく、装置本体４の栓刃１５を壁面１３に設けられた電源コンセント１８の栓刃挿入孔１６に挿入することにより、容易に壁面１３に対して設置し、かつ、壁面１３に設置された電源コンセント１８を介してマイナスイオン発生器５の駆動用の電力の供給を容易に受けることができるものである。またこのように容易に壁面１３に設置することができることから、マイナスイオン発生装置の設置場所を容易に確保することができるものである。
【００４３】
図６に示す実施形態では、図５に示す構成に加えて、装置本体４には他の機器に設けられた電源プラグの栓刃が挿入される栓刃挿入孔１０が形成されている。この栓刃挿入孔１０としては、通常の電源コンセント用の平行孔が形成されており、図示の例では二組の栓刃挿入孔１０が形成されている。
【００４４】
また、装置本体４に設けられている栓刃１５とマイナスイオン発生器５と接続する配線８は装置本体４内部にてマイナスイオン発生器５に接続される配線８１と栓刃挿入孔の内側に設けられた刃受けバネ（図示せず）に接続される配線８２とに分岐されているものであり、栓刃挿入孔１０に挿入された他の機器の栓刃は刃受けバネに挟持されて、この刃受けバネを介して電源から電力が供給されるようになっている。
【００４５】
このマイナスイオン発生装置では、電源コンセント１８用のアダプタとしての機能も果たすものであり、装置本体４の栓刃１５を壁面１３に設けられた電源コンセント１８の栓刃挿入孔１６に挿入することにより壁面１３に対して設置した場合に、壁面１３に設けられた電源コンセント１８の栓刃挿入孔１６のうちの一組が使用できなくなるものであるが、その代わりに装置本体４に設けられた栓刃挿入孔１０を他の機器に対する電力供給用に用いることができるものである。特に栓刃挿入孔１６が一組のみ形成されている電源コンセント１８に対してマイナスイオン発生装置を設置する場合は、本来ならば電源コンセント１８が使用不能となるところを、装置本体４に設けられた栓刃挿入孔１０を他の機器に対する電力供給用に用いることができるものである。
【００４６】
図７に示す実施形態では、図５に示す構成に加えて、装置本体４に照明装置１７を設けている。この照明装置１７は、例えば発光ランプと、この発光ランプの発光を制御する制御回路とから構成することができる。
【００４７】
また、装置本体４に設けられている栓刃１５とマイナスイオン発生器５と接続する配線８は装置本体４内部にてマイナスイオン発生器５に接続される配線８１と照明装置１７に接続される配線８２とに分岐されているものであり、照明装置１７に駆動用の電力が供給されるようになっている。
【００４８】
このマイナスイオン発生装置では、装置本体４の栓刃１５を壁面１３に設けられた電源コンセント１８の栓刃挿入孔１６に挿入することにより壁面１３に対して設置した場合に、照明装置１７の発光ランプ等が発光し、夜間照明等として利用することが可能となる。
【００４９】
また、マイナスイオン発生器５から送出されるマイナスイオンを含む気流３を装置本体４内部において照明装置１７付近に流通させて照明装置１７を冷却することができる。
【００５０】
上記の各実施形態のように構成されるマイナスイオン発生装置では、マイナスイオン発生器５に設けられる基材１を、コネクタ方式等の適宜の方式によって着脱自在に構成し、基材１を適宜交換可能に形成することが好ましく、多孔質状の基材１に埃が溜まった場合などに基材１を取り外して洗浄したり基材１を交換したりすることが容易となるものである。
【００５１】
【発明の効果】
本発明の請求項１に係るマイナスイオン発生装置は、トルマリン粉末が担持された複数枚の基材を近接させて配設すると共にこの基材に対して送風を行うファンを配設し、前記複数枚の基材が、前記ファンから発生する気流にて振動して隣り合って配置されている基材同士が衝突するものであるため、ファンから基材に向けて送風を行うと、ファンから発生する気流によって基材同士が衝突して基材に担持されているトルマリン粉末が加圧され、トルマリンの周囲の空気がマイナスイオン化して、マイナスイオンを気流中に混入することができるものであり、このマイナスイオンを含む気流を室内等に送出し、室内等にマイナスイオンを行き渡らせることができるものである。またこのようにトルマリンによるマイナスイオン発生機能を利用することで、プラズマ方式によるマイナスイオン発生機構の場合とは異なり、体に有害とされるオゾンやＮＯXガスを発生させることなくマイナスイオンを発生させることができるものである。
【００５２】
また請求項２の発明は、請求項１の構成に加えて、基材とファンとから構成されるマイナスイオン発生器を、造営面に配設される装置本体に設けるため、設置場所を容易に確保することができるものである。
【００５３】
また請求項３の発明は、マイナスイオン発生器を天井面に配設される装置本体に設けるため、マイナスイオンを室内等に効率よく行き渡らせることができるものであり、しかも設置場所を容易に確保することができるものである。
【００５４】
また請求項４の発明は、請求項３の構成に加えて、他の機器に設けられた栓刃が挿入されると共に挿入された栓刃を引っ掛け係止する栓刃挿入孔を装置本体に形成し、栓刃挿入孔に挿入された栓刃を介して他の機器に対して給電を行うように形成するものであり、栓刃挿入孔に照明器具等の栓刃を挿入・係止して、照明器具を天井面に対して支持して配設すると共に照明器具等に対して電力を供給することができるものである。この場合、マイナスイオン発生装置を設置するにあたって別途に天井面に開口を設けたり配線を引いたりする必要がなく、照明器具用の引掛シーリングや引掛ローゼット等のための配線や天井面の開口を利用してマイナスイオン発生装置を設置することができるものである。更に、マイナスイオン発生器から送出されるマイナスイオンを含む気流を栓刃挿入孔付近に流通させて栓刃と刃受けバネとの接点を冷却したり、マイナスイオンを含む気流を装置本体の下面に向けて噴出させることによりマイナスイオンを含む気流を照明器具等に向けて流出させて照明器具等を冷却したりすることもできるものである。
【００５５】
また請求項５の発明は、請求項３の構成に加えて、他の機器に設けられた栓刃が挿入される栓刃挿入孔を装置本体に形成し、栓刃挿入孔に挿入された栓刃を介して他の機器に対して給電を行うように形成するものであり、栓刃挿入孔に照明器具等の栓刃を挿入して、天井面に対して設置される照明器具等に対して電力を供給することができるものである。この場合、マイナスイオン発生装置を設置するにあたって別途に天井面に開口を設けたり配線を引いたりする必要がなく、照明装置等への電力供給用の配線や天井面の開口を利用してマイナスイオン発生装置を設置することができるものである。更に、マイナスイオン発生器から送出されるマイナスイオンを含む気流を栓刃挿入孔付近に流通させて栓刃と刃受けバネとの接点を冷却したり、マイナスイオンを含む気流を装置本体の下面に向けて噴出させることによりマイナスイオンを含む気流を照明器具等に向けて流出させて照明器具等を冷却したりすることもできるものである。
【００５６】
また請求項６の発明は、請求項２の構成に加えて、マイナスイオン発生器を壁面に配設される装置本体に設けるものであり、マイナスイオン発生装置の設置場所を容易に確保することができるものである。
【００５７】
また請求項７の発明は、請求項６の構成に加えて、装置本体に、壁面に設けられた電源コンセントの栓刃挿入孔に挿入されると共にこの栓刃挿入孔に挿入された状態で装置本体を壁面に対して支持する栓刃を設け、この栓刃を介して駆動用の電力の供給を受けるように形成するものであり、マイナスイオン発生装置を壁面に設置するにあたって別途に壁面に開口を設けたり配線を引いたりする必要がなく、装置本体の栓刃を壁面に設けられた電源コンセントの栓刃挿入孔に挿入することにより、容易に壁面に対して設置し、かつ、壁面に設置された電源コンセントを介してマイナスイオン発生器の駆動用の電力の供給を容易に受けることができるものである。
【００５８】
また、請求項８の発明は、請求項６又は７の構成に加えて、他の機器に設けられた栓刃が挿入される栓刃挿入孔を装置本体に形成し、栓刃挿入孔に挿入された栓刃を介して他の機器に対して給電を行うように形成するものであり、装置本体に設けられた栓刃挿入孔を他の機器に対する電力供給用に用いることができ、電源コンセントや電源コンセント用アダプタとしての機能を兼ね備えることができるものである。
【００５９】
また請求項９の発明は、請求項６乃至８のいずれかの構成に加えて、装置本体に照明装置を設けるものであり、照明装置を夜間照明等として利用することができ、また、マイナスイオン発生器から送出されるマイナスイオンを含む気流を装置本体内部において照明装置付近に流通させて照明装置を冷却することができるものである。
【図面の簡単な説明】
【図１】本発明の実施の形態の一例を示す概略図である。
【図２】本発明の実施の形態の他例を示す概略図である。
【図３】本発明の実施の形態の更に他例を示す概略図である。
【図４】本発明の実施の形態の更に他例を示す概略図である。
【図５】本発明の実施の形態の更に他例を示す概略図である。
【図６】本発明の実施の形態の更に他例を示す概略図である。
【図７】本発明の実施の形態の更に他例を示す概略図である。
【図８】本発明におけるマイナスイオンの発生機構を説明する概略図である。
【符号の説明】
１  基材
２  ファン
４  装置本体
５  マイナスイオン発生器
９  天井面
１０  栓刃挿入孔
１３  壁面
１５  栓刃
１６  栓刃挿入孔
１７  照明装置
１８  電源コンセント
【図１】
0003770067.tif 000002
【図２】
0003770067.tif 000003
【図３】
0003770067.tif 000004
【図４】
0003770067.tif 000005
【図５】
0003770067.tif 000006
【図６】
0003770067.tif 000007
【図７】
0003770067.tif 000008
【図８】
0003770067.tif 000009